(57)【要約】【課題】多数の参加者がいる集会において、参加者の出席や質問に対する回答を、計算機上で集計・管理する手段を与える。【解決手段】参加者に配布された、画像認識が容易な図形が描かれたカード等を目印にして、集会参加者全体のデジタル画像から各個人の人物画像を抽出し、図形の種別により分別することにより、集計・管理を行うとともに、本人を認証する。【選択図】        図１
2004220130.tif 000002
【特許請求の範囲】
【請求項１】
参加予定者が特定された会議や授業などの集会で、該参加予定者の出席を確認し記録する手段において、該参加予定者ひとりひとりに対応付けられた特定の図形もしくは色彩を伴った図形を記したカードを該参加予定者に予め配布しておき、前記集会中に出席確認のためにデジタルカメラにて参加者全体を１回もしくは複数回に分けて撮影する際には、参加者は参加者自身の顔面の右側傍というような特定の位置に該カードが写り込むようにカードを掲げることとし、撮影されたデジタル画像の計算機上での処理においては、前記カード上に記された前記特定の図形を該デジタル画像上で検索して、該特定の図形を検出した場合に前記デジタル画像内での該図形の位置が右側傍というような特定の位置にある人物画像部分を抽出し、前記特定の図形に対応付けされた参加予定者の出席記録として該人物画像を蓄積しておき、開催された会議や授業などの集会への参加予定者の出席状況を判定する際には、参加予定者の出席記録として蓄積された該人物画像を自動もしくは目視にて同一人物のものと確認することを特徴とした、人物画像による出席等の確認方式。
【請求項２】
請求項１の人物画像による出席等の確認方式にて用いるところの、会議や授業などの集会への参加予定者に予め配布するカード上の図形に、図形が指す上下左右の方向を判断出来る図形を用いることとし、前記集会中に出題や投票などの質問に対する参加者の回答を確認するためにデジタルカメラにて参加者全体を１回もしくは複数回に分けて撮影する際には、参加者は参加者自身の顔面の右側傍というような特定の位置に、質問に対する回答に対応付けられた上下左右の方向に前記カード上の図形が向いた状態で写り込むようにカードを掲げることとし、撮影されたデジタル画像の計算機上での処理においては、前記カード上に記された前記特定の図形を該デジタル画像上で検索して、該特定の図形を検出した場合に前記デジタル画像内での該図形の位置が右側傍というような特定の位置にある人物画像部分を抽出すると伴に、該図形の上下左右の方向を判定して、前記特定の図形に対応付けされた参加予定者の質問に対する回答の記録として該人物画像と伴に蓄積しておき、会議や授業などの集会での参加予定者の回答状況を判定する際には、参加予定者の回答記録として蓄積された該人物画像を自動もしくは目視にて確認し、図形の方向により回答を判断することを特徴とした、人物画像による出席等の確認方式。
【請求項３】
請求項１および２の人物画像による出席および質問に対する回答の確認方式において、参加予定者ひとりひとりに対応付けられた、じゃんけんの石／はさみ／紙など特定の手の形を予め決めて参加予定者に周知しておき、前記図形の記されたカードを掲げてデジタル画像に写りこませる替わりに、該特定の手の形を掲げてデジタル画像に移りこませることを特徴とした、請求項１および２の人物画像による出席等の確認方式。
【請求項４】
請求項１および２の人物画像による出席および質問に対する回答の確認方式において、参加予定者ひとりひとりに対応付けられた画像を携帯電話端末のディスプレイに表示させ、これを前記カードの代わりに用いることを特徴とした、請求項１および２の人物画像による出席等の確認方式。
【請求項５】
デジタルカメラにて参加者を撮影することで出席および質問に対する回答の確認を行う際に、該デジタルカメラに内蔵もしくは外付けされた通信装置を用いて撮影されたデジタル画像を計算機へ送信し、該計算機では該デジタル画像を受信したことを契機にとした自動処理により、請求項１、２、および３に記された参加予定者の出席および質問に対する回答の記録の蓄積を行うと伴に、出席および質問に関する回答が記録されたことに関する情報を、予め登録されて計算機上に蓄積された参加予定者の電子メールアドレスを宛先とした電子メールを送信する、もしくは、Ｗｅｂサイト上に掲載することを特徴とした、請求項１、２、および、３の人物画像による出席等の確認方式。
【請求項６】
参加者が特定されない会議や授業などの集会で、図形が指す上下左右の方向を判断出来る同一の図形を記したカードを配布し、前記集会中に出題や投票などの質問に対する参加者の回答を確認するためにデジタルカメラにて参加者全体を１回もしくは複数回に分けて撮影する際には、参加者は質問に対する回答に対応付けられた上下左右の方向に前記カード上の図形が向いた状態で写り込むようにカードを掲げることとし、撮影されたデジタル画像の計算機上での処理においては、前記カード上に記された前記特定の図形を該デジタル画像上で検索して、該特定の図形を検出する度に、該図形の上下左右の方向を区別して計数し、回答状況を判定する際には、計数された上下左右の方向ごとの数を用いることを特徴とした、画像による質問に対する回答の確認方式。
【発明の詳細な説明】
【０００１】
【発明の属する技術分野】
本発明は、会議や授業などの集会においてデジタルカメラにより撮影した参加者のデジタル画像を計算機上で処理することにより、参加予定者の集会への出席や、集会中に参加者に向けられた出題や投票などの質問に対する回答を確認する、出席等の確認方法に関する。
【０００２】
【従来の技術】
従来、会議や授業などの集会の参加者を確認する一般的な方法としては、集会の主催者側の担当者による点呼や、参加者に配布した紙に氏名等を記載させて回収する出席カードが用いられてきた。
【０００３】
また、電子技術を用いて個人を認証する方法としては、個人に配布された磁気カードおよびＩＣカードをカードリーダにより読み取る方法、個人の指紋や目の虹彩を撮影したデジタル画像を用いる方法、個人の顔を撮影したデジタル画像を用いる方法などがある。
【０００４】
個人の顔を撮影したデジタル画像を用いて個人を認証する方法としては、さまざまな手法が提案されている。２次元的な顔画像を対象とした人物識別の手法では、識別の対象となる個人の横顔画像（シルエット）や正面顔画像より、幾何学的パラメータや特徴点を求め、これらのデータを予め測定された個人のデータと比較することにより人物を識別する（「画面処理工学」村上伸一著、東京電機大学出版局）。
【０００５】
【発明が解決しようとする課題】
従来の出席等の確認方法には、次のような問題がある。
【０００６】
点呼や出席カードによる方法は、時間が掛かる点で非効率的であり、また、不正行為を防ぎにくい。点呼の場合、参加予定者の名前の読み上げとそれへの返答自体に時間が掛かり、いわゆる代返と呼ばれる、第三者が不正に返答を行う行為を見破ることは難しい。また、出席カードでは、該カードを回収して出席簿に転記する作業に時間が掛かり、第三者が不正に出席カードの記入を行う行為を見破ることは難しい。
【０００７】
磁気カードおよびＩＣカードを用いる方法では、必要とする設備の点で経済的でなく、また、不正行為を防ぎにくい。カードリーダとこれを制御する計算機とは一般的に気軽に携帯する用途で用いられておらず、集会の度に集会場所に持ち運ぶことは不便であり、また、学校などで多数の教室に設置する場合はその費用が問題となる。参加者の多い集会では、カードリーダが複数台必要となる事態も想定しなければならない。また、参加予定者とは別の第三者が参加予定者と結託し、該第三者が該参加予定者の身代わりとなってカードリーダにカードを通すような不正行為を防ぐことは困難である。
【０００８】
個人の指紋や目の虹彩を撮影したデジタル画像を用いる方法は、高価な設備が必要となり、また、ひとりひとりの認証に掛かる時間が長い点で非効率的である。
【０００９】
個人の顔を撮影したデジタル画像を用いて個人を認証する方法は、人物の映像は一定の大きさでなくてはならないこと、人物は正しく正面あるいは横を向いていなければならないこと、特徴点の数はあまり多くとることが出来ないことなどの制約・問題点があり、データ収集面で取り扱いが難しく、また、識別精度もあまり高くない（「画面処理工学」村上伸一著、東京電機大学出版局）。これらの制約・問題点は、集会への参加者を確認することを目的とした場合、特に大きな障害となる。
【００１０】
上記に示した問題点をまとめると、次のとおりとなる。不正行為を防ぐためには、集会への参加者の身体的特徴を基にしたデータの記録が必要となるが、このようなデータの記録には、その採取に手間がかかり、設備も必要となってくる。手間と設備とにおいて最も簡易なものは、顔画像を記録することであるが、画像認識による識別技術としては上述の制約・問題点がある。
【００１１】
本発明は、比較的安価で取り扱いの容易なデジタルカメラを用い、使用に際しての手間が少なく、高い信頼性で集会への参加者を確認することが出来る仕組みを導入することを目的とする。
【００１２】
【課題を解決するための手段】
上記目的を達成するために、本発明の人物画像による出席等の確認方式では、撮影された集会参加者のデジタル画像を計算機上で処理する際に、出席の確認のためのデータとして蓄積する各参加者個人の人物画像部分を該デジタル画像中から容易に抽出出来るように、デジタル画像撮影時に参加者自身の人物画像から特定の位置に写り込むよう掲げることとした、参加予定者ごとに対応付けられた図形もしくは色彩を伴う図形が記されたカードを設け、参加予定者に予め配布しておく。
【００１３】
また、集会中に参加者に向けられた出題や投票などの質問に対する参加者の回答を、撮影したデジタル画像から読み取って記録するために、デジタル画像撮影時に参加者自身の人物画像から特定の位置に写り込むよう掲げることとした前記カードに記された図形として、図形が指す上下左右の方向を判断出来る図形を用いる。
【００１４】
また、前記図形を記したカードの替わりに、参加予定者ひとりひとりに対応付けられた、じゃんけんの石／はさみ／紙など特定の手の形を用いる。また、前記図形を記したカードの替わりに、携帯電話端末のディスプレイに表示させた画像を用いる。
【００１５】
また、撮影したデジタル画像により出席などの確認が記録されたことに関する情報を、集会参加者が集会中にも確認出来るように、撮影したデジタル画像を処理する計算機上にデジタル画像を送信するための通信装置を設け、また、該情報を電子メールにより参加者に送付するために参加予定者の電子メールアドレスを蓄積し、また、該情報を掲載するＷｅｂサイトを設ける。
【００１６】
また、参加者が特定されない会議や授業などの集会で、出題や投票などの質問に対する参加者の回答を確認するため、デジタル画像撮影時に写り込むよう掲げることとした、図形が指す上下左右の方向を判断出来る図形が示されたカードを設け、参加者に予め配布する。
【００１７】
【発明の実施の形態】
発明の実施の形態を、実装例にもとづき図面を参照して説明する。
【００１８】
図１に、本発明を適用する人物画像による出席等の確認システムの、実施例の全体像を示す。図１中、集会所（１０１）に集まった参加者（１１１）には、それぞれ参加者ごとに異なった図形の描かれたカード（１１２）が予め配布されている。出席を確認する際には、参加者は該カードが向かって顔の右側傍に写り込むようにカードを掲げる。これをデジタルカメラ（１１３）により撮影し、撮影されたデジタル画像は、携帯電話（１１４）等の通信機器により、ネットワーク（１０３）を介して計算機（１０２）に送信される（１９１）。
【００１９】
集会所にて撮影されたデジタル画像（１２１）を受信する計算機（１０２）内の、記憶部（１２４）には、出欠管理データ（１２５）が保持されている。出欠管理データ（１２５）には、参加予定者（図中ではＡ、Ｂ、Ｃの３名）ごとに、メールアドレス（図中では、“ａａａ”，“ｂｂｂ”，“ｃｃｃ”）、配布したカードに記録した図形（図中では、“∧”、“±”、“〒”）が記録されており、さらに毎回ごと（図中では、第１回から第１５回）の集会での出欠記録を記録する領域が設けられている。
【００２０】
デジタル画像（１２１）を受信すると、計算機（１０２）では、出欠管理データ（１２５）中の図形欄の図形を１つずつ探して、該デジタル画像を検索する。検索の結果、該当図形が見つかれば、図形が見つかった位置から左側に位置する人物が写っている範囲（１２２）を別画像として切り出す（１９２）。切り出した人物画像（１２３）は、該図形に対応する参加予定者が出席である旨の記録とともに、出欠管理データ（１２５）の該当個所に保存される。検索の結果、該当図形が見つからなければ、該図形に対応する参加予定者が欠席である旨の記録を、出欠管理データ（１２５）の該当個所に保存する。
【００２１】
出欠管理データ（１２５）への保存が終わった時点で、出席あるいは欠席が記録された事実を通知する電子メールが、参加予定者の携帯電話（１０４）に宛てて送信される（１９４）。また、出欠管理データ（１２５）に基づき、出欠状況が確認出来るデータがＷｅｂサーバ（１０６）によりＷｅｂサイト上で公開される（１９６）。
【００２２】
集会への出欠の管理者（１０５）は、計算機（１０２）に接続されたディスプレイ（１５１）とキーボード（１５２）を利用して、出欠管理データ（１２５）に基づき、集会への参加予定者の出席状況を確認する。その際、出欠管理データ（１２５）内に記録された、切り出した人物画像をディスプレイに表示させてこれを目視し、同一人物であることを確認する（１９５）。
【００２３】
図１では、カード（１１２）に記す図形を、単純な白黒の記号（“∧”、“±”、“〒”）としているが、カラーを用いた一般的な図形としても、同様の処理となる。また、デジタルカメラ（１１３）で撮影したデジタル画像を計算機（１０２）へ送信する際、携帯電話（１１４）を用いることとしているが、これ以外の通信機器を使用した場合でも、同様の処理となる。また、出欠管理データ（１２５）は、本発明に関わる最小限のデータのみを含んでいるが、一般的には、例えば学校における成績管理データとして、他の様々な情報とともに保持することとしても、同様の処理となる。また、カードの代わりに、携帯電話端末のディスプレイに表示した画像を用いても、同様の処理となる。
【００２４】
図２に、本発明を適用する、人物画像による出席等の確認システムのソフトウェア構成を示す。図２中、計算機（２０２）、ネットワーク（２０３）、出席予定者の携帯電話（２０４）、出欠管理者（２０５）、デジタルカメラ（２１３）、携帯電話（２１４）、記憶部（２２２）、ディスプレイ（２５１）、キーボード（２５２）は、図１中の計算機（１０２）、ネットワーク（１０３）、出席予定者の携帯電話（１０４）、出欠管理者（１０５）、デジタルカメラ（１１３）、携帯電話（１１４）、記憶部（１２４）、ディスプレイ（１５１）、キーボード（１５２）に、それぞれ対応する。
【００２５】
計算機（２０２）でのソフトウェア構成は、制御部（２２０）内に、示されている。出欠管理（２３０）は、出欠の管理に関わる処理全般の進行を司るソフトウェアである。出欠管理（２３０）は、集会への参加者を撮影したデジタル画像が受信された場合、および、出欠管理者（２０５）がシステムの利用を開始する場合に起動される。なお、図中、ＯＳ等については表記を省略している。
【００２６】
画像受信管理（２３１）は、デジタルカメラ（２１３）により撮影されたデジタル画像を、携帯電話（２１４）、ネットワーク（２０３）、および、通信制御部（２２３）を通じて取得する。参加予定者通知管理（２３２）は、出席あるいは欠席を確認した旨を伝えるメールを、通信制御部（２２３）、および、ネットワーク（２０３）を介して、参加予定者の携帯電話（２０４）へ送信する。
【００２７】
画像前処理（２３３）は、デジタル画像の雑音の除去やコントラストの先鋭化などの前処理を行う。パターンマッチング（２３４）は、与えられた図形がデジタル画像中のどの位置にあるかを検出する。人物画像切り出し処理（２３５）は、デジタル画像中の与えられた位置の画像を切り出す。
【００２８】
出欠データ管理（２３６）は、記憶部（２２２）に蓄積された出欠管理データの読み出し／書き込みを行う。管理者サポート（２３７）は、出欠管理者（２０５）がキーボード（２５２）を操作して入力した情報に基づき、ディスプレイ（２５１）に出席管理者が必要とするデータを表示する。
【００２９】
図３に、人物画像を含むデジタル画像が受信された際の、図２中の出欠管理（２３０）の処理の概要を示す。デジタル画像が受信された場合（３０１）、出欠管理（２３０）は、受信画像処理（２３１）を呼び出して、受信デジタル画像を取得（３０２）し、画像前処理（２３３）を起動して、該デジタル画像の雑音の除去やコントラストの先鋭化などの前処理を実施（３０３）し、図１中の出欠管理データ（１２５）の読み出し位置を先頭に設定（３０４）する。
【００３０】
次に、出欠データ管理（２３６）を呼び出して、読み出し位置の参加予定者のメールアドレスと図形とを取得（３０５）する。
【００３１】
この取得結果（３０６）が、取得成功であった場合、パターンマッチング（２３４）を呼び出して、該図形の位置を受信デジタル画像上で検出（３０７）する。
【００３２】
この検出結果（３０８）が、検出成功であった場合、人物画像切り出し処理（２３７）を呼び出して、図形検出位置に対して特定の領域を受信デジタル画像から切り出し（３０９）、出欠データ管理（２３６）を呼び出して、読み出し位置の参加予定者の該当回出欠記録に、“出”を記録し、切り出した画像を保存（３１０）する。続いて、参加予定者通知管理（２３２）を起動して、参加予定者の前記メールアドレスに、出席確認の旨を伝えるメールを送信（３１１）し、出欠管理データ（１２５）の読み出し位置を、インクリメント（３１３）して、参加予定者のメールアドレスと図形との取得処理（３０５）以下の処理を繰り返す。
【００３３】
３０８の検出結果が、検出失敗であった場合、出欠データ管理（２３６）を呼び出して、読み出し位置の参加予定者の該当回出欠記録に、“欠”を記録（３１２）し、出欠管理データ（１２５）の読み出し位置を、インクリメント（３１３）して、参加予定者のメールアドレスと図形との取得処理（３０５）以下の処理を繰り返す。
【００３４】
３０６の取得結果が、末尾位置であった場合、出欠管理データ中のすべての参加予定者について処理が終了したこととなり、処理を終了（３１４）する。
【００３５】
図２、および、図３中では、Ｗｅｂサイト上に出欠に関する情報を掲載する処理については省略した。この処理は、出席予定者に出席確認のメールを送る処理と同様に、出席予定者ごとの出席確認情報をＷｅｂサイトに掲載することで実現される。
【００３６】
図２中の出欠管理者（２０４）がシステムの利用を開始した場合、出席管理（２３０）は、管理者サポート（２３７）を起動して、図１中の出欠管理データ（１２５）相当の情報をディスプレイ（２５１）上に表示することで、出席管理者が目視により同一人物の画像が各回の出欠記録に記録されていることを確認する手立てを供する。
【００３７】
図４に、本発明を適用する人物画像による出席等の確認システムの実施例での、デジタル画像からの図形位置の検出方法を示す。図４では、テンプレートマッチングと呼ばれる方法を採っている（「画像処理工学」、村上伸一、東京電機大学出版局、ｐ９１）。図４中、４０１は、集会参加者を撮影したデジタル画像であり、該画像内の座標（ｘ，ｙ）における濃度値は、ｆ（ｘ，ｙ）にて表される。４０２は、あらかじめ用意した形状を画素単位で表現した、テンプレートと呼ぶ画像であり、該テンプレート内の座標（ｘ，ｙ）における濃度値は、Ｔ（ｘ，ｙ）にて表される。４０３は、テンプレートの中心位置であり、その座標は、デジタル画像（４０１）の座標を用いて、（ｉ，ｊ）と表される。
【００３８】
テンプレートマッチングにおいては、デジタル画像（４０１）にテンプレート（４０２）を移動しながら重ね、対象画像とテンプレートの画素対応の相関を調べて行く。具体的には、∬｜ｆ（ｘ，ｙ）−Ｔ（ｘ，ｙ）｜ｄｘｄｙなどの相関関数の値が最小となる（ｉ，ｊ）の値、（ａ，ｂ）を求める。該相関関数の最小値が一定値以上であるばあい、図形は検出されなかったと判断する。
【００３９】
テンプレートマッチングにより、図１中の出欠管理データ（１２５）内に記憶されている図形を検出するが、該図形が記されたカードの遠近により、デジタル画像中に写りこんだ該図形の大きさは変化する。このため、図４中の４１０〜４１２、４２０〜４２２、および、４３０〜４３２のように、１つの図形に対して縮尺を変えたテンプレートを用い、すべてのテンプレートの中で相関関数の値が最小となった値（ａ，ｂ）を求めることとする。
【００４０】
図形の位置（ａ，ｂ）を求めた後、参加者自身の顔面の右側傍というような特定の位置に該カードが写り込むようにカードを掲げることとするような取り決めにしたがって、位置（ａ，ｂ）から適当な範囲の画像部分を切り出して抽出する。この際、相関関数の値が最小となった場合のテンプレートの縮尺により、切り出す画像の大きさを調整することも可能である。
【００４１】
図形の位置を検出した際の位置と用いたテンプレートの縮尺とは、集会において参加者が前列にて聴講したか、後列にて聴講したかを判断するために用いることも出来、必要であればこれを記憶することも可能である。
【００４２】
図５に、本発明を適用する人物画像による出席等の確認システムでの、参加予定者への質問に対する回答を記録する実施例を示す。図５では、図１との差分部分のみを記している。図５中、デジタル画像（５２１）、人物が写っている範囲（５２２）、切り出した人物画像（５２３）、および、記憶部（５２４）は、図１中のデジタル画像（１２１）、人物が写っている範囲（１２２）、切り出した人物画像（１２３）、および、記憶部（１２４）と同じものである。また、図５中の回答管理データ（５２５）は、図１中の出欠管理データ（１２５）に対応する。
【００４３】
図５中のデジタル画像（５２１）は、集会中に出題や投票などの質問に対する参加者の回答を確認する際に、参加者は参加者自身の顔面の右側傍というような特定の位置に、質問に対する回答に対応付けられた上下左右の方向にカード上の図形が向いた状態で写り込むようにカードを掲げることとして、デジタルカメラにて参加者全体を１回もしくは複数回に分けて撮影したものである。
【００４４】
図５中のデジタル画像（５２１）を受信すると、計算機では、回答管理データ（５２５）中の図形欄の図形を探して、該画像を検索する。この際、回答管理データ（５２５）内の図形欄の図形を９０度づつ回転させて、上（５３０〜５３２）下（５４０〜５４２）左（５５０〜５５２）右（５６０〜５６２）に向いた図形を、テンプレートマッチングでのテンプレートとして用いる。検索の結果、上下左右のいずれかにおいて該当図形が見つかれば、図形が見つかった位置から左側に位置する人物が写っている範囲（５２２）を別画像として切り出す（５９２）。切り出した人物画像（５２３）は、上下左右のいずれのテンプレートにて図形を検出したかの記録とともに、回答管理データ（５２５）の該当個所に保存される。検索の結果、該当図形が見つからなければ、該図形に対応する参加予定者が未回答である旨の記録を、回答管理データ（５２５）の該当個所に保存する。
【００４５】
図６に、本発明を適用する人物画像による出席等の確認システムでの、参加予定者の質問に対する回答を画像中に写った手の形により記録する実施例を示す。図６では、図１との差分部分のみを記している。図６中、デジタル画像（６２１）、人物が写っている範囲（６２２）、切り出した人物画像（６２３）、および、記憶部（６２４）は、図１中のデジタル画像（１２１）、人物が写っている範囲（１２２）、切り出した人物画像（１２３）、および、記憶部（１２４）と同じものである。また、図６中の出欠管理データ（６２５）は、図１中の出欠管理データ（１２５）に対応する。
【００４６】
図６中のデジタル画像（６２１）は、集会中にて参加予定者の出席を確認する際に、参加予定者ひとりひとりに対応付けられた、じゃんけんの石／はさみ／紙など特定の手の形を予め決めて参加予定者に周知しておき、参加者は参加者自身の顔面の右側傍というような特定の位置に、特定の手の形が写り込むように手を掲げることとして、デジタルカメラにて参加者全体を１回もしくは複数回に分けて撮影したものである。
【００４７】
図６中のデジタル画像（６２１）を受信すると、計算機では、出欠管理データ（６２５）中の図形欄の手の形をテンプレート（６３０〜６３２、６４０〜６４２、６５０〜６５２）として用い、テンプレートマッチングを行う。検索の結果、該当の手の形が見つかれば、手の形が見つかった位置から左側に位置する人物が写っている範囲（６２２）を別画像として切り出す（６９２）。切り出した人物画像（６２３）は、該手の形に対応する参加予定者が出席である旨の記録とともに、出欠管理データ（６２５）の該当個所に保存される。検索の結果、該当の手の形が見つからなければ、該手の形に対応する参加予定者が欠席である旨の記録を、出欠管理データ（６２５）の該当個所に保存する。
【００４８】
図６では、片手による手の形を用いているが、両手を用いてより多くの種類の手の形を使用することも可能である。また、図６では出欠の確認を目的とした例を示したが、質問に対する回答についても、手の向きや裏表を選択肢に割り振ることにより、図５と類似した方法で実現出来る。
【００４９】
図７に、本発明を適用する画像による質問に対する回答の表示システムの、実施例の全体像を示す。図７中、集会所に集まった不特定多数の参加者（７１１）には、図形が指す上下左右の方向を判断出来る同じ図形を記したカード（７１２）が予め配布されている。質問に対する回答を確認する際には、回答の選択肢に対応付けられた方向に図形が向くように、参加者は配布されたカードを掲げる。これをデジタルカメラ（７１３）により撮影し、計算機（７０２）に取り込む（７９１）。
【００５０】
撮影されたデジタル画像（７２１）を取り込んだのち、計算機（７０２）では、該デジタル画像に写りこんだ図形（７２２）の数を、図形のテンプレート（７３０〜７３２、７４０〜７４２）を用いたテンプレートマッチングにより、その図形が向く方向ごとに数えて集計する（７９２）。集計結果（７５０）が算出されると、計算機（１０２）に接続されたプロジェクタ（７１４）により、スクリーン（７１５）上に質問に対する選択肢に対応した形で、集計結果を映し出す。
【００５１】
図８に、図７中の図形を数える処理（７９２）の概要を示す。デジタル画像中の図形の数を数える処理（８０１）では、最初にカウンタにゼロを設定（８０２）してから、デジタル画像の全座標値を、マッチング対象に登録（８０３）する。次に、マッチング対象から、座標値を取得（８０４）する。
【００５２】
この取得結果（８０５）にて、マッチング対象中に座標が無い場合、カウンタを出力（８１１）して、処理を終了（８１２）する。
【００５３】
８０５の取得結果で、マッチング対象中に座標が有った場合、マッチング対象から、該取得座標値を削除（８０６）し、取得座標値にテンプレートを置いて、相関関数を計算（８０７）する。
【００５４】
この計算結果（８０８）が閾値以上の場合、マッチング対象から座標値を取り出す処理（８０４）から再度実行する。
【００５５】
８０８の計算結果が閾値以下の場合、カウンタをインクリメント（８０９）し、マッチング対象から、前記取得座標値の近傍の座標値を削除（８１０）して、マッチング対象から座標値を取り出す処理（８０４）から再度実行する。
【００５６】
【発明の効果】
本発明は、以上説明したように構成されているので、以下に記載されるような効果がある。
【００５７】
参加予定者ごとに対応付けられた図形が記されたカードを参加予定者にあらかじめ配布し、該図形が参加者の人物画像から特定の位置に写り込むようにカードを掲げてデジタル画像を撮影することで、認識が容易な図形を目印として、該デジタル画像中の人物画像を切り出すことが出来る。
【００５８】
また、図形が示す上下左右の方向を判断出来る図形を前記カードに記すこととし、該図形が参加者の人物画像から特定の位置に写り込むようにし、さらに質問に対する回答に応じて該図形を特定方向に向けるようにして、カードを掲げてデジタル画像を撮影することで、認識が容易な図形を目印として、該デジタル画像中の人物画像を切り出すと同時に、該質問に対する回答を判別することが出来る。
【００５９】
また、参加予定者ごとに対応付けられた手の形を予め決めておき、該手の形が参加者の人物画像から特定の位置に写り込むように手を掲げてデジタル画像を撮影することで、個人差が比較的少なく認識が容易な手の形を目印として、該デジタル画像中の人物画像を切り出すことが出来る。
【００６０】
また、デジタル画像を用いて確認した出席、および、質問に対する回答を、予め計算機上に蓄積された参加予定者ごとの電子メールアドレスを宛先とした電子メールを送信することにより、あるいは、Ｗｅｂサイトに掲載することにより、デジタル画像により検出した出席・回答を素早く参加者に通知することが出来、また、これを参加者が確認することにより、デジタル画像による検出がうまく働かなかった場合の対処を行うことが出来る。
【００６１】
また、参加者が特定されない会議や授業などの集会で、図形が指す上下左右の方向を判断出来る同一の図形を記したカードを配布し、集会中にデジタルカメラにて参加者全体を１回もしくは複数回に分けて撮影して、参加者が質問に対する回答に対応付けられた上下左右の方向に前記カード上の図形が向いた状態で写り込むようにカードを掲げることとすることにより、カードという安価な媒体により計算機による回答の集計が容易に行え、また、デジタルカメラと計算機という可搬である機器を用いて場所を選ばずに回答の収集を行うことが出来る。
【００６２】
【図面の簡単な説明】
【図１】人物画像による出席等の確認システムの全体像である。
【図２】人物画像による出席等の確認システムのソフトウェア構成である。
【図３】人物画像を含むデジタル画像が受信された際の処理概要である。
【図４】デジタル画像からの図形位置を検出する方法の説明図である。
【図５】参加予定者への質問に対する回答を記録する方法の概要である。
【図６】画像中に写った手の形により回答を記録する方法の概要である。
【図７】参加予定者への質問に対する回答を表示する方法の概要である。
【図８】デジタル画像中の図形を数える処理の概要である。
【符号の説明】
１０１  集会所
１０２  計算機
１０３  ネットワーク
１０４  参加者予定者の携帯電話
１０５  出欠管理者
１０６  Ｗｅｂサーバ
１１１  参加者
１１２  記号の描かれたカード
１１３  デジタルカメラ
１１４  携帯電話
１２１  デジタル画像
１２２  デジタル画像中の部分
１２３  人物画像
１２４  記憶部
１２５  出欠管理データ
１５１  ディスプレイ
１５２  キーボード
１９１〜１９６  処理の流れを示す矢印
２０２  計算機
２０３  ネットワーク
２０４  参加予定者の携帯電話
２０５  出席管理者
２１３  デジタルカメラ
２１４  携帯電話
２２０  制御部
２２１  ＩＯ制御部
２２２  記憶部
２２３  通信制御部
２３０  出欠管理ソフトウェア
２３１  画像受信管理ソフトウェア
２３２  参加予定者通知管理ソフトウェア
２３３  画像前処理ソフトウェア
２３４  パターンマッチングソフトウェア
２３５  人物画像切り出し処理ソフトウェア
２３６  出欠データ管理ソフトウェア
２３７  管理者サポートソフトウェア
２５１  ディスプレイ
２５２  キーボード
３０１〜３１４  フローチャートのブロック
４０１  デジタル画像
４０２  テンプレート枠
４０３  テンプレートの中心
４１０〜４１２、４２０〜４２２、４３０〜４３２  テンプレート
５２１  デジタル画像
５２２  デジタル画像の部分
５２３  人物画像
５２４  記憶部
５２５  回答管理データ
５３０〜５３２、５４０〜５４２、５５０〜５５２、５６０〜５６２  テンプレート
５９２、５９３  処理の流れを示す矢印
６２１  デジタル画像
６２２  デジタル画像の部分
６２３  人物画像
６２４  記憶部
６２５  出欠管理データ
６３０〜６３２、６４０〜６４２、６５０〜６５２  テンプレート
６９２、６９３  処理の流れを示す矢印
７０２  計算機
７１１  参加者
７１２  図形の描かれたカード
７１３  デジタルカメラ
７１４  プロジェクタ
７１５  スクリーン
７２１  デジタル画像
７２２  デジタル画像に写り込んだ図形
７３０〜７３２、７４０〜７４２  テンプレート
７５０  集計結果
７９１〜７９３  処理の流れを示す矢印
８０１〜８１２  フローチャートのブロック
【図１】
2004220130.tif 000003
【図２】
2004220130.tif 000004
【図３】
2004220130.tif 000005
【図４】
2004220130.tif 000006
【図５】
2004220130.tif 000007
【図６】
2004220130.tif 000008
【図７】
2004220130.tif 000009
【図８】
2004220130.tif 000010